(57)【要約】【課題】デジタル放送においてデジタルテレビがコンピュータと同様に大量の情報を容易に格納可能であるか否かについては明らかでない。【解決手段】本発明は、デジタル放送システムに関し、特にテレビ視聴中に視聴者が希望する付加情報がある場合、当該付加情報をＥメールで転送して管理することのできるデジタル放送システムおよびその制御方法に関する。本発明によれば、視聴者が付加情報転送の要求をもとにして付加情報を引き出してＥメールに転送することで、視聴者が希望する付加情報を何時でも転送することができるため、付加情報の活用度を向上させると共にテレビの格納容量の問題を解決し、かつ、生産原価の節減が可能である。【選択図】図１
2004531131.tif 000002
【特許請求の範囲】
【請求項１】
視聴者のテレビ視聴の要求によって放送局からデータ情報を受信して出力する映像表示ユニットにおいて、
前記データ情報から付加情報を分離して格納するステップ；
視聴者からの付加情報確認の要求に応答して前記付加情報を画面に出力するステップ；
前記視聴者からの付加情報転送の要求を認識するステップ；および
前記付加情報転送の要求を前記放送局に転送するステップ；
を含み、
前記放送局によって前記付加情報転送の要求に応答して前記付加情報がＥメールアドレスに転送されることを特徴とする映像表示ユニットの付加情報転送方法。
【請求項２】
請求項１において、
前記データ情報は、
ビデオ情報、オーディオ情報、付加情報および行き先アドレスのうちの少なくとも１つを含むことを特徴とする映像表示ユニットの付加情報転送方法。
【請求項３】
請求項１において、
前記データ情報から分離されたビデオ情報およびオーディオ情報をそれぞれ出力するステップ；
前記出力されるビデオ情報をもとにして付加情報の有無を判断するステップ；および
判断の結果、付加情報が存在する場合、付加情報存在用識別子を前記画面に表示するステップ；
をさらに含むことを特徴とする映像表示ユニットの付加情報転送方法。
【請求項４】
請求項１において、
前記付加情報を出力するステップに先立って、
前記付加情報確認の要求に応じてテレビブラウザーを実行するステップ；および
前記テレビブラウザーを映像領域と付加情報領域とに割り当てるステップ；
をさらに含み、
前記ビデオ情報と前記付加情報とは、前記映像領域と付加情報領域とに相応するように出力されることを特徴とする映像表示ユニットの付加情報転送方法。
【請求項５】
請求項１において、
前記付加情報転送の要求は、前記行き先アドレスをもとにしてネットワークで転送されることを特徴とする映像表示ユニットの付加情報転送方法。
【請求項６】
映像表示ユニットとネットワークで連結された放送局において、
前記映像表示ユニットから付加情報転送の要求を受信するステップ（ここで、前記付加情報転送の要求は、行き先アドレス、付加情報識別子およびＥメールアドレスを含む）；
前記付加情報識別子を用いてデータベースから付加情報を照会するステップ；および
前記照会された付加情報を前記Ｅメールアドレスを用いて転送するステップ；
を含むことを特徴とする放送局の付加情報転送方法。
【請求項７】
請求項６において、
前記付加情報は、前記付加情報識別子に相応するように格納されていることを特徴とする放送局の付加情報転送方法。
【請求項８】
請求項６において、
前記付加情報転送の要求は、前記行き先アドレスに相応する放送局によって受信されることを特徴とする放送局の付加情報転送方法。
【請求項９】
視聴者のテレビ視聴の要求によって放送局からデータ情報を受信して出力する映像表示ユニットにおいて、
前記データ情報から付加情報を分離して格納するステップ；
視聴者からの付加情報確認の要求に応答して前記付加情報を画面に出力するステップ；
前記視聴者からの付加情報転送の要求を認識するステップ；および
前記付加情報転送の要求をもとにして引き出された付加情報を転送するステップ；
を含むことを特徴とする映像表示ユニットの付加情報転送方法。
【請求項１０】
請求項９において、
前記付加情報転送の要求は、付加情報識別子およびＥメールアドレスを含むことを特徴とする映像表示ユニットの付加情報転送方法。
【請求項１１】
請求項９において、
前記視聴者が要求した付加情報の識別子を確認するステップ；
前記識別子に相応する付加情報をメモリから引き出すステップ；および
前記引き出された付加情報を前記Ｅメールアドレスを用いて転送するステップ；
をさらに含むことを特徴とする映像表示ユニットの付加情報転送方法。
【請求項１２】
視聴者のテレビ視聴の要求によって放送局からデータ情報を受信して出力する映像表示ユニットにおいて、
受信手段を介して入力されたデータ情報を分離し、前記テレビブラウザーが実行される場合、ビデオ情報および付加情報が前記テレビブラウザーの各領域に表示されるようにマッピングするためのデータ処理手段；
前記データ処理手段で分離された付加情報を格納し、前記視聴者からの前記付加情報転送の要求が入力される場合、前記付加情報転送の要求をコンテンツサーバーに転送するように制御するための制御手段；および
前記データ情報から分離された付加情報を行き先アドレスに相応するように格納するための格納手段；
を備えることを特徴とする映像表示ユニット。
【請求項１３】
請求項１２において、
前記視聴者の要求を入力するための入力手段をさらに有することを特徴とする映像表示ユニット。
【請求項１４】
映像表示ユニットから転送された付加情報転送の要求に相応する付加情報を転送する放送局システムにおいて、
データ情報を送出するための送信手段；
前記映像表示ユニットから付加情報転送の要求を受信する場合、付加情報識別子をもとにして付加情報を照会し、この照会された付加情報をＥメールアドレスに転送するためのコンテンツサーバー；および
オーディオ情報、ビデオ情報、付加情報、行き先アドレスの格納の際に、前記付加情報がそれぞれ付与された識別子に相応するように格納されるデータベース；
を備えることを特徴とする放送局システム。
【請求項１５】
請求項１４において、
前記コンテンツサーバーは、
オーディオ情報、ビデオ情報、付加情報および行き先アドレスを引き出し、前記オーディオ情報とビデオ情報をデジタル変換した後、前記付加情報と前記行き先アドレスと共に圧縮することをさらに含むことを特徴とする放送局システム。
【請求項１６】
請求項１４において、
前記付加情報転送の要求は、
行き先アドレス、付加情報識別子およびＥメールアドレスを含むことを特徴とする放送局システム。
【請求項１７】
視聴者のテレビ視聴の要求によって放送局からデータ情報を受信して出力する映像表示ユニットにおいて、
受信手段を介して入力されたデータ情報を分離し、前記テレビブラウザーが実行される場合、ビデオ情報および付加情報が前記テレビブラウザーの各領域に表示されるようにマッピングするためのデータ処理手段；
前記データ処理手段で分離された付加情報を格納し、前記視聴者からの前記付加情報転送の要求が入力される場合、前記付加情報転送の要求をもとにして付加情報をＥメールアドレスに転送するように制御するための制御手段；および
前記付加情報を識別子に相応するように格納するための格納手段；
を備えることを特徴とする映像表示ユニット。
【請求項１８】
請求項１７において、
前記制御部は、
前記付加情報転送の要求が入力される場合、現在テレビブラウザーを介して出力されている付加情報を判別し、付加情報識別子を用いて前記識別子に相応する付加情報を引き出すことをさらに含むことを特徴とする映像表示ユニット。
【請求項１９】
請求項１７において、
前記制御部は、予め付加情報別に相応する付加情報識別子を記憶していることを特徴とする映像表示ユニット。
【発明の詳細な説明】
【技術分野】
【０００１】
本発明は、デジタル放送システムに関し、特に、テレビ視聴中に視聴者が希望する付加情報がある場合、当該付加情報をＥメールで転送して管理することのできるデジタル放送システムおよびその制御方法に関する。
【背景技術】
【０００２】
一般に、放送の時代は、黒白、カラーのアナログ時代を経て、現在、デジタル放送の時代が到来している。
【０００３】
デジタル放送とは、既存のアナログ放送とは異なり、双方向の運用、再生、蓄積が可能な次世代放送技術であって、情報の信号を符号化し、デジタル形態に信号を圧縮して送出するテレビ放送をいう。
【０００４】
既存のアナログテレビ放送では、１電波に１映像しか載せることができず、音声は、別の電波に載せて送り出す必要がある。しかし、デジタル放送では、１電波に複数の映像や音声などを載せることができるというメリットの他に、品質を落とすことなく情報を圧縮することができるので、従来のアナログ放送１チャネルの周波数帯に４〜８チャネルを設定することができる。また、コンピュータを用いて情報を容易にコントロールでき、かつ、視聴者側からの注文情報を送り得る双方向性も可能である。
【０００５】
このようなデジタル放送のためにはデジタルテレビが必要となるが、デジタルテレビとは、受信される放送信号をデジタル符号に変えて高品質の画面再生および種々の機能を追加することのできるテレビをいい、黒白時代、カラー時代を経た、いわゆる第３時代のテレビを意味する。このようなデジタルテレビは、種々の機能を加えることのできる別の集積回路を装着し、放送局からのアナログ信号をデジタル信号に変換させることによって映像および音声信号の劣化を防止するだけでなく、それを正確に復元させ得るため、アナログ電波の反射による画面が二重に映る現象もなく、雑音もまったく発生しない。また、前記デジタルテレビは、走査線数が１０５０本もあり、それだけ画面がきれいに表示され、放送信号の記憶および処理機能で多重画面を構成することができ、１つのテレビ画面において２、３つの放送局画面の同時視聴が可能であり、瞬間動作をストップさせて拡大してみることができ、さらに、記憶された動作を再度確認するかプリンタで印刷することができるなど、機能が様々に備わっているというメリットがある。
【発明の開示】
【発明が解決しようとする課題】
【０００６】
しかし、デジタル放送およびデジタルテレビが前述のようなメリットを有してはいるが、デジタルテレビがコンピュータと同様に大量の情報を容易に格納可能であるか否かについては明らかでない。勿論、ハードディスクドライブをテレビに装着する方式があるが、映像、音声情報とデータ情報とにおける差異によって前記ハードディスクドライブの活用において非効率的な面がある。
【０００７】
本発明は、上記の問題点を解決するためになされたものであって、本発明の目的は、視聴者が格納しようとする付加情報を放送局に対して要求し、特定のＥメールアドレスに転送することのできるデジタル放送システムおよびその制御方法を提供することにある。
【０００８】
本発明の他の目的は、視聴者が格納しようとする付加情報を放送局を経由することなく直接Ｅメールアドレスに転送することのできるデジタル放送システムおよびその制御方法を提供することにある。
【課題を解決するための手段】
【０００９】
上記の目的を達成するための本発明の好適な一実施例によれば、データ情報から付加情報を分離して格納し、視聴者からの付加情報確認の要求に応答して前記付加情報を画面に出力し、前記視聴者からの付加情報転送の要求を認識し、前記付加情報転送の要求を前記放送局に転送することを含み、前記放送局によって前記付加情報転送の要求に応答して前記付加情報がＥメールアドレスに転送される映像表示ユニットの付加情報転送方法が提供される。
【００１０】
前記映像表示ユニットの付加情報転送方法によれば、前記データ情報は、ビデオ情報、オーディオ情報、付加情報および行き先アドレスのうちの少なくとも１つを含み、前記付加情報転送の要求は、前記行き先アドレスをもとにしてネットワークに転送され得る。
前記映像表示ユニットの付加情報転送方法によれば、前記データ情報から分離されたビデオ情報およびオーディオ情報をそれぞれ出力し、前記出力されるビデオ情報をもとにして付加情報の有無を判断し、判断の結果、付加情報が存在する場合、付加情報存在用識別子を前記画面に表示することをさらに含み得る。
【００１１】
前記映像表示ユニットの付加情報転送方法によれば、前記付加情報の出力に先立って、前記付加情報確認の要求に応じてテレビブラウザーを実行し、前記テレビブラウザーを映像領域と付加情報領域とに割り当てることを含み、前記ビデオ情報と前記付加情報とは、前記映像領域と付加情報領域とに相応するように出力され得る。
【００１２】
本発明の好適な他の実施例によれば、前記映像表示ユニットから付加情報転送の要求を受信し（ここで、前記付加情報転送の要求は、行き先アドレス、付加情報識別子およびＥメールアドレスを含む）、前記付加情報識別子を用いてデータベースから付加情報を照会し、前記照会された付加情報を前記Ｅメールアドレスを用いて転送することを含む放送局の付加情報転送方法が提供される。
【００１３】
前記放送局の付加情報転送方法によれば、前記付加情報は、前記付加情報識別子に相応するように格納され、前記付加情報転送の要求は、前記行き先アドレスに相応する放送局によって受信され得る。
【００１４】
本発明の好適なまた他の実施例によれば、前記データ情報から付加情報を分離して格納し、視聴者からの付加情報確認の要求に応答して前記付加情報を画面に出力し、前記視聴者からの付加情報転送の要求を認識し、前記付加情報転送の要求をもとにして引き出された付加情報を転送することを含む映像表示ユニットの付加情報転送方法が提供される。
前記映像表示ユニットの付加情報転送方法によれば、前記付加情報転送の要求は、付加情報識別子およびＥメールアドレスを含み得る。
【００１５】
前記映像表示ユニットの付加情報転送方法によれば、前記視聴者が要求した付加情報の識別子を確認し、前記識別子に相応する付加情報をメモリから引き出し、引き出された付加情報を前記Ｅメールアドレスを用いて転送することをさらに含み得る。
【００１６】
本発明の好適なまた他の実施例によれば、受信手段を介して入力されたデータ情報を分離し、前記テレビブラウザーが実行される場合、ビデオ情報および付加情報が前記テレビブラウザーの各領域に表示されるようにマッピングするためのデータ処理手段、前記データ処理手段で分離された付加情報を格納し、前記視聴者から前記付加情報転送の要求が入力される場合、前記付加情報転送の要求をコンテンツサーバーに転送するように制御するための制御手段、前記データ情報から分離された付加情報を行き先アドレスに相応するように格納するための格納手段、および前記視聴者の要求を入力するための入力手段を備える映像表示ユニットが提供される。
【００１７】
本発明の好適なまた他の実施例によれば、データ情報を送出するための送信手段、オーディオ情報、ビデオ情報、付加情報および行き先アドレスを引き出し、前記オーディオ情報とビデオ情報をデジタル変換した後、前記付加情報と前記行き先アドレスと共に圧縮し、前記映像表示ユニットから付加情報転送の要求を受信する場合、付加情報識別子をもとにして付加情報を照会し、この照会された付加情報をＥメールアドレスに転送するためのコンテンツサーバー、およびオーディオ情報、ビデオ情報、付加情報、行き先アドレスの格納の際に前記付加情報がそれぞれ付与された識別子に相応するように格納されるデータベースを備える放送局システムが提供される。
【００１８】
本発明の好適なまた他の実施例によれば、受信手段を介して入力されたデータ情報を分離し、前記テレビブラウザーが実行される場合、ビデオ情報および付加情報が前記テレビブラウザーの各領域に表示されるようにマッピングするためのデータ処理手段、前記データ処理手段で分離された付加情報を格納し、前記視聴者から前記付加情報転送の要求が入力される場合、前記付加情報転送の要求をもとにして付加情報をＥメールアドレスに転送するように制御するための制御手段、および前記付加情報を識別子に相応するように格納するための格納手段を備える映像表示ユニットが提供される。
【００１９】
前記映像表示ユニットによれば、前記制御部は、付加情報転送の要求が入力される場合、現在テレビブラウザーを介して出力されている付加情報を判別し、付加情報識別子を用いて前記識別子に相応する付加情報を引き出すことをさらに含み、予め付加情報別に相応する付加情報識別子を記憶することができる。
【発明を実施するための最良の形態】
【００２０】
以下、添付の図面を参照して本発明の好適な実施例について詳述する。
図１は、本発明の好適な一実施例に係るデジタル放送システムの構成図である。
同図に示されたように、前記デジタル放送システムは、データ情報を画面に表示する映像表示ユニット（１００）、前記データ情報を提供する放送局（２００）および視聴者の要求を入力するための入力手段（１６０）を備えてなる。ここで、前記入力手段（１６０）は、前記視聴者が前記映像表示ユニット（１００）に要求を出す時に使用するための装置であって、無線キーボード、無線マウス、無線ジョイスティック、リモコンなどを含むことができる。前記無線キーボードと前記無線マウスは、Ｂｌｕｅｔｏｏｔｈ（登録商標）技術を用いて前記映像表示ユニット（１００）と通信することができ、前記Ｂｌｕｅｔｏｏｔｈ技術は、公知の技術であるため、詳細な説明は、省略する。
【００２１】
前記映像表示ユニット（１００）は、受信部（１１０）、データ処理部（１２０）、制御部（１３０）、メモリ（１４０）およびデータ出力部（１５０）を備えてなる。また、前記映像表示ユニット（１００）は、前記入力手段（１６０）を介して入力された命令を前記制御部（１３０）に伝達するための入力インターフェース（１７０）をさらに含むことができる。
【００２２】
前記受信部（１１０）は、前記放送局（２００）から転送されるデータ情報を受信する。なお、前記データ情報は、ビデオ情報、オーディオ情報、付加情報（たとえば、文字、図形またはグラフィック）、行き先アドレスなどを含み得る。前記付加情報は、ＨＴＭＬ、ＤＨＴＭＬ、ＸＭＬ、ＳＧＭＬのうちのいずれか１つで作成し得る。前記行き先アドレスは、前記放送局（２００）側に設けられて前記データ情報を管理するコンテンツサーバー（２２０）のアドレスを意味するもので、後で前記視聴者が付加情報を放送局（２００）を経由してＥメールで転送する場合、前記映像表示ユニット（１００）から付加情報の転送を前記コンテンツサーバー（２２０）に要求する時、ネットワーク網を介して接続し得るようにする。
【００２３】
前記データ処理部（１２０）は、前記受信部（１１０）から入力されたデータ情報を、オーディオ情報、ビデオ情報、付加情報および行き先アドレスに分離し、前記オーディオ情報とビデオ情報とを前記データ出力部（１５０）を介して出力されるように変更する。ここで、前記データ出力部（１５０）は、前記オーディオ情報を出力するためのスピーカと前記ビデオ情報を出力するための表示素子を含むことができる。前記表示素子は、液晶表示素子（ＬＣＤ；Ｌｙｑｕｉｄ Ｃｒｙｓｔａｌ Ｄｅｖｉｃｅ）、プラズマ表示素子（ＰＤＰ；Ｐｌａｓｍａ Ｄｉｓｐｌａｙ Ｐａｎｅｌ）、蛍光表示素子（ＶＦＤ；Ｖａｃｕｕｍ Ｆｌｕｏｒｅｓｃｅｎｔ Ｄｉｓｐｌａｙ）、電界放出表示素子（ＦＥＤ；Ｆｉｅｌｄ Ｅｍｉｓｓｉｏｎ Ｄｉｓｐｌａｙ）のうちのいずれか１つであり得る。また、前記データ処理部（１２０）は、視聴者から入力された付加情報確認の要求によってテレビブラウザーが実行される場合、前記テレビブラウザーの映像領域と付加情報領域とに前記ビデオ情報および付加情報が出力されるようにマッピングする。
【００２４】
前記制御部（１３０）は、前記データ処理部（１２０）で分離された付加情報をメモリに格納し、視聴者から付加情報確認の要求がある場合、前記付加情報をデータ処理部（１２０）に伝達する。また、前記制御部（１３０）は、前記視聴者から前記付加情報転送の要求を入力され、前記付加情報転送の要求をネットワークインターフェース（１８０）を介してコンテンツサーバー（２２０）に転送する。ここで、前記付加情報転送の要求は、前記行き先アドレス、付加情報識別子、Ｅメールアドレスなどを含み得る。前記識別子は、複数の付加情報を識別するため、予め前記放送局（２００）から前記データ情報が転送される時、前記データ情報と共に転送されることができる。
【００２５】
前記メモリ（１４０）は、前記データ情報から分離された付加情報を前記行き先アドレスに相応するように格納し、前記付加情報を前記データ出力部（１５０）を介して出力し、ネットワーク網を介して視聴者の要求および前記付加情報を前記コンテンツサーバー（２２０）に転送し得る環境を提供するテレビ（ＴＶ）ブラウザーを格納する。ここで、前記テレビブラウザーは、前記制御部（１３０）によって実行され、前記ビデオ情報と前記付加情報を前記データ出力部（１５０）を介して出力する。
【００２６】
前記データ出力部（１５０）は、前述のように前記データ処理部（１２０）で分離されたビデオ情報およびオーディオ情報を前記制御部（１３０）の出力信号を受けて出力するものであって、スピーカと表示素子を含むことができる。従って、前記オーディオ情報は、スピーカから出力され、前記ビデオ情報は、表示素子を介して出力される。また、前記データ出力部（１５０）は、前記テレビブラウザーが実行される場合、付加情報を表示し得るようにブラウザー画面を提供し、前記付加情報とビデオ情報とを共に前記ブラウザー画面を介して表示することができる。
【００２７】
なお、前記放送局（２００）は、データ情報を送出する送信部（２１０）、前記データ情報を出力するコンテンツサーバー（２２０）およびデータ情報を格納するデータベース２３０を備えてなる。ここで、前記データ情報は、前述のように、オーディオ情報、ビデオ情報、付加情報、行き先アドレスなどを含み得る。前記オーディオ情報と前記ビデオ情報は、前記送信部（２１０）への伝達前にデジタル信号に変換され、この変換された信号は、前記付加情報および前記行き先アドレスと共に圧縮され得る。このように圧縮されたデータ情報が前記送信部（２１０）を介して送出される。この送出されたデータ情報は、映像表示ユニット（１００）の受信部（１１０）によって受信され得る。
【００２８】
前記コンテンツサーバー（２２０）は、前記データベース（２３０）に格納されたオーディオ情報、ビデオ情報、付加情報、行き先アドレスなどを引き出し、前記オーディオ情報と前記ビデオ情報をデジタル変換した後、前記付加情報と前記行き先アドレスと共に圧縮を行う。前記コンテンツサーバー（２２０）は、前記映像表示ユニット（１００）から付加情報転送の要求を受信する場合、前記付加情報転送の要求に含まれる付加情報識別子をもとにして付加情報を照会する。前記コンテンツサーバー（２２０）は、照会の結果として検索された付加情報を前記付加情報転送の要求に含まれるＥメールアドレスに転送する。
【００２９】
前記データベース（２３０）は、前記映像表示ユニット（１００）に送出するオーディオ情報、ビデオ情報、付加情報、行き先アドレスなどを格納し得る。前記付加情報は、区別のために識別子が付与される。即ち、前記付加情報は、前記識別子に相応するように格納される。これは、前記映像表示ユニット（１００）から付加情報転送の要求がある場合、前記要求に含まれた識別子をもとにして付加情報を検索するためである。
【００３０】
図３-ａ乃至図３-ｅは、本発明の好適な一実施例に係るデジタル放送システムにおいて、付加情報を含むデータ情報が出力されることを示す画面例示図である。
【００３１】
図３-ａにおいて、前記画面は、ビデオ情報が出力される画面である。前記画面は、前記放送局から受信されたデータ情報をもとにして前記データ処理部で分離されたオーディオ情報、ビデオ情報、付加情報および行き先アドレスのうちで前記ビデオ情報が出力される映像領域（３２０）を備えている。
【００３２】
図３-ｂにおいて、前記画面には、前記ビデオ情報が出力される前記映像領域（３２０）の上端の所定位置に現在放送中のビデオ情報には付加情報が添付されていることを表示する付加情報存在表示領域（３２２）が位置し得る。たとえば、前記付加情報存在表示領域（３２２）は、「データ放送があります」という文字メッセージが表示され得る。または、前記付加情報存在表示領域（３２２）は、付加情報の存在を表示し得る文字、グラフィック、アイコンなどの識別項目を使用することもできる。
【００３３】
図３-ｃにおいて、前記画面は、視聴者が付加情報の存在を認知し、入力手段を介して付加情報のメニュを要求した状態である。前記画面は、テレビブラウザー画面であって、付加情報がビデオ情報と共に前記画面に表示されるように映像領域とは別に付加情報領域（３２８）をさらに含むことができる。前記付加情報のメニュは、交通情報項目（３２４）と観光情報項目（３２６）を含み得る。前記画面は、前記付加情報領域であって、現在表示されているビデオ情報を送出した放送局の名である「ＭＢＣ」に加えて前記放送局名に相応するチャネル番号をさらに表示することもできる。従って、視聴者は、前記項目（３２４、３２６）のうちの１つを選択することで当該項目に相応する、より詳細な付加情報を確認することができる。
【００３４】
図３-ｄにおいて、前記画面は、前記視聴者が前記付加情報メニュのうちの１つを選択した時、選択されたメニュに相応する内容をディスプレイする。たとえば、前記視聴者が前記交通情報項目を入力手段などを用いて選択すると、前記画面の右側に交通情報内容（３３０）が表示され得る。
【００３５】
図３-ｅにおいて、前記画面は、前記視聴者が現在表示されている付加情報をＥメールに転送しようとする場合において、前記視聴者に提供される画面である。たとえば、視聴者が現在表示されている前記交通情報内容（３３０）をＥメールに転送し得るように前記画面と共に下端において転送経路設定項目（３３２）と確認項目（３３４）とが表示され得る。前記視聴者が前記交通情報内容（３３０）をＥメールに転送しようとする場合、前記視聴者は、先ず、転送経路設定項目（３３２）を選択する。前記転送経路設定項目（３３２）が選択されると、前記交通情報内容（３３０）を送るためのＥメールアドレス入力窓が視聴者に提供され、前記視聴者は、前記Ｅメールアドレス入力窓にＥメールアドレスを入力するようになる。前記視聴者がＥメールアドレスを入力して転送経路を設定した後、確認項目（３３４）を選択すると、前記交通情報内容（３３０）は、前記視聴者が選択したＥメールアドレスに転送される。ここで、前記Ｅメールアドレスは、前記視聴者が加入したＥメールアドレスであって、Ｅメール専用サイト、ネットワークサイト、検索サイト、放送局サイトのいずれを通じて加入したものでもよい。
【００３６】
図２-ａおよび図２-ｂは、本発明の好適な一実施例に係るデジタル放送システムにおいて、視聴者が要求した付加情報を放送局でＥメールアドレスに転送する方法を説明するためのフローチャートである。
【００３７】
同図に示されたように、放送局からデータ情報を受信する（ステップ４０１）。即ち、放送局のコンテンツサーバーは、データベースに格納されたデータ情報などを一定時間の単位で引き出し、送信部を介して送出する。なお、前記データ情報は、オーディオ情報、ビデオ情報、付加情報、行き先アドレスなどを含み得る。前記コンテンツサーバーは、前記情報を個別に引き出すが、前記オーディオ情報およびビデオ情報は、デジタル変換後、前記付加情報と前記行き先アドレスとが共に圧縮される。前記コンテンツサーバーは、前記圧縮されたデータ情報を前記送信部に伝達し、前記送信部を介して空中波として送出する。次いで、映像表示ユニットの受信部は、前記送信部を介して送出されたデータ情報を受信する。この時、前記映像表示ユニットには、複数の放送局から送出されるデータ情報のうちからデータ情報を選択するための選択部（図示せず）が設けられ、前記視聴者が希望するデータ情報を選択することができる。
【００３８】
前記選択部で選択されたデータ情報が受信部を介して受信される場合、前記データ情報は、データ処理部で分離される（ステップ４０４）。即ち、前記データ処理部は、前記データ情報をオーディオ情報、ビデオ情報、付加情報および行き先アドレスに分離する。勿論、前記データ情報は、分離前に復元の過程を経る必要があるが、本発明の技術思想に大きな影響を与えないため、説明を省略する。
【００３９】
前記ステップ４０４で分離された前記付加情報は、制御部によってメモリに格納される（ステップ４０７）。前記制御部は、前記データ処理部を監視する間、分離された前記データ情報に付加情報が存在する場合、前記付加情報を前記メモリに送って格納することができる。この時、前記メモリは、前記付加情報を共に添付された識別子と相応するようにして格納することができる。
【００４０】
前記分離されたデータ情報のうちのビデオ情報およびオーディオ情報は、データ出力部を介して表示される（ステップ４１０）。なお、前記データ出力部は、前述のようにスピーカと表示素子を含むことができる。従って、前記ビデオ情報は、前記表示素子の画面を介して出力され、前記オーディオ情報は、前記スピーカを介して視聴者に伝達され得る。勿論、この時、前記表示素子の画面は、ビデオ情報のみ表示され、付加情報は、まだ表示されていない。
【００４１】
なお、前記制御部は、現在表示されているビデオ情報が前記受信部を介して受信される時、付加情報が添付されているか否かをメモリを介して追跡する（ステップ４１３）。前述のように、前記データ処理部は、受信されたデータ情報中に付加情報が含まれている場合、これらを分離して前記制御部によって前記メモリに格納する。従って、前記制御部は、前記メモリを介して現在表示されているビデオ情報に相応する付加情報があるか否かを判断することができる。
【００４２】
判断の結果、前記メモリに付加情報が存在する場合、前記制御部は、前記表示素子の画面に付加情報存在識別子を表示する（ステップ４１６）。この時、前記付加情報存在用識別子は、付加情報の存在有無を視聴者に知らせるためのものであって、文字、グラフィックまたはアイコンなどを含み得る。図３-ｂの画面では、文字で前記付加情報存在識別子を表示している。しかし、前記付加情報存在用識別子は、グラフィックまたはアイコンなど、視聴者に付加情報の存在を知らせることのできるものであれば、特に制限されない。前記メモリに付加情報が存在しない場合、前記制御部は、前記付加情報存在用識別子を前記表示素子の画面に出力しないため、前記表示素子の画面には、文字、グラフィックまたはアイコンが表示されなくなる。
【００４３】
前記制御部は、入力手段を介して視聴者から付加情報確認の要求があるか否かを判断する（ステップ４１９）。判断の結果、前記視聴者から付加情報確認の要求がある場合、前記制御部は、前記要求に応答して前記メモリに格納されているテレビブラウザーを実行させる（ステップ４２２）。即ち、前記視聴者が前記表示素子の画面を介してテレビの視聴中に前記付加情報存在の表示が出力される場合、前記視聴者は、前記付加情報の確認のため、無線キーボード、無線マウス、無線ジョイスティック、リモコンなどを含む入力手段を介して付加情報の確認を要求することができる。次いで、前記制御部は、前記入力手段を監視している間、前記入力手段を介して前記視聴者から付加情報確認が要求されると、前記メモリに格納されたテレビブラウザーを実行させる。前記テレビブラウザーは、実行と同時にブラウザー画面を前記表示素子を介して出力することができる。ここで、前記ブラウザー画面は、前記表示素子に出力される前に前記データ処理部で現在表示されているビデオ情報と追加の付加情報とが１つのブラウザー画面に表示され得るようにそれぞれの領域を割り当てることができる。図３-ｃに示されたように、前記ブラウザー画面には、映像領域と付加情報領域とが含まれる。
【００４４】
前記テレビブラウザーにおいて前記データ処理部によってブラウザー画面が映像領域と付加情報領域とに割り当てられる場合、前記制御部は、現在表示されているビデオ情報に相応する付加情報をメモリから引き出して前記付加情報領域に出力する（ステップ４２５）。この時、前記ビデオ情報は、前記ブラウザー画面の映像領域に出力され得る。
【００４５】
前記制御部は、視聴者から付加情報の転送が要求されるかを判断する（ステップ４２８）。即ち、前記視聴者は、図３-ｃに示されたように、付加情報領域に表示された地理情報項目と観光情報項目を選択することで各項目に関する詳細な内容を確認することができる。また、前記視聴者は、地理情報または観光情報が自分に必要な情報であると判断してＥメールで格納したい場合、映像表示ユニットに付加情報転送を要求することができる。図３-ｅに示されたように、前記視聴者が転送経路設定項目を用いて前記付加情報のための送り先のＥメールアドレスを入力した後、次の確認項目を選択することで前記付加情報転送の要求が実行され得る。たとえば、前記視聴者は、前記付加情報を転送されるＥメールアドレスがｓｉｍｓｏｎ０５０５＠ｈａｎｍａｉｌ．ｎｅｔであれば、前記転送経路設定項目を選択した後、Ｅメールアドレスである、「ｓｉｍｓｏｎ０５０５＠ｈａｎｍａｉｌ．ｎｅｔ」を入力する。前記視聴者が前記付加情報転送を要求する場合、前記制御部は、入力手段を持続的に監視しながら前記視聴者から付加情報の要求があるか否かを判断する。
判断の結果、前記視聴者から付加情報転送の要求がある場合、前記制御部は、付加情報転送の要求をコンテンツサーバーに転送する（ステップ４３１）。ここで、前記付加情報転送の要求は、行き先アドレス、付加情報識別子、Ｅメールアドレスなどを含み得る。前記行き先アドレスは、付加情報を提供した放送局のコンテンツサーバーのアドレスである。前記付加情報の転送は、ネットワーク網を通じて前記行き先アドレスを用いて前記コンテンツサーバーに転送され得る。
【００４６】
前記コンテンツサーバーは、前記映像表示ユニットから付加情報転送の要求を受信する場合、前記付加情報転送の要求に含まれる付加情報識別子をもとにして付加情報を照会する（ステップ４３４）。前述のように、前記放送局のデータベースには、前記識別子に相応するように付加情報が格納されている。従って、前記コンテンツサーバーは、前記映像表示ユニットから受信された付加情報識別子を用いて前記データベースにおいて前記付加情報識別子と一致する識別子があるか否かを照会する。
【００４７】
前記コンテンツサーバーは、照会の結果、前記付加情報識別子が前記データベースに存在する場合、前記識別子に相応する付加情報を引き出してＥメールアドレスに転送する（ステップ４３７）。
【００４８】
従って、視聴者の付加情報転送の要求に応じて前記コンテンツサーバーが前記要求に相応する付加情報をデータベースから引き出してＥメールアドレスに転送することによって、何時でも視聴者が希望する付加情報が存在する場合は、Ｅメールに格納することができる。
図４は、本発明の好適な他の実施例に係るデジタル放送システムの構成図である。
【００４９】
同図に示されたように、前記デジタル放送システムは、視聴者が付加情報をＥメールアドレスに転送しようとする場合、映像表示ユニット（１００）から放送局（２００）を経由することなく直接付加情報をＥメールサーバー（３００）に転送することができる。ここで、前記Ｅメールサーバー（３００）は、前記映像表示ユニット（１００）から転送された付加情報をネットワーク網を介して受信されて格納するものであって、図１には示されていないが、図４には、前記映像表示ユニット（１００）から転送された付加情報を放送局（２００）を経由することなく直接受信されることを容易に理解できるように示されている。従って、図１には示されていないが、前記Ｅメールサーバー（３００）は、図１においても前記映像表示ユニットから転送された付加情報転送の要求を前記放送局のコンテンツサーバーが受信し、データベースから付加情報を引き出して格納するためのＥメールサーバーを備えなければならない点を留意する必要がある。
【００５０】
図４を簡単に説明する。受信部（１１０）を介して受信されたデータ情報は、データ処理部（１２０）によってビデオ情報、オーディオ情報、付加情報などに分離される。ここで、前記データ情報は、行き先アドレスが存在しない点を留意する必要がある。即ち、図４に示された放送システムは、映像表示ユニット（１００）から付加情報が放送局（２００）を経由することなく直接Ｅメールサーバー（３００）に転送されるため、前記放送局（２００）のコンテンツサーバー（２２０）の行き先アドレスが存在しなくても良い。前記ビデオ情報およびオーディオ情報は、データ出力部（１５０）を介してそれぞれ出力され、前記付加情報は、制御部（１３０）によってメモリ（１４０）に格納される。前記付加情報が前記メモリ（１４０）に格納される場合、前記付加情報は、識別子に相応するように格納される必要がある。前記データ出力部（１５０）の画面を介して表示されるビデオ情報に付加情報が存在する場合、前記制御部（１３０）は、これを感知して付加情報存在用識別子を前記画面に出力することができる。視聴者が前記画面をもとに付加情報の存在を確認し、付加情報確認を入力手段（１６０）を介して要求する場合、前記制御部（１３０）は、前記要求に相応する付加情報を画面を介して出力することができる。
【００５１】
なお、前記視聴者が前記画面に出力された付加情報をＥメールアドレスに格納するため付加情報転送を要求する場合（ここで、前記付加情報転送は、Ｅメールアドレスを用いて前記映像表示ユニット（１００）に要求可能）、前記制御部（１３０）は、前記要求を認識する。また、前記制御部（１３０）は、前記付加情報に相応する識別子をもとにして前記メモリ（１４０）に格納された付加情報を引き出した後、前記付加情報を前記Ｅメールアドレスに相応するＥメールサーバー（３００）に転送することができる。また、前記Ｅメールサーバー（３００）は、受信された前記付加情報を格納することができ、前記視聴者は、前記Ｅメールアドレスを用いて前記Ｅメールサーバー（３００）に格納された付加情報を確認することができる。
【００５２】
従って、本発明の他の実施例に係る放送システムを簡略化して図１に比べて説明する。本発明の他の実施例に係る放送システムにおいて、制御部は、前記視聴者から付加情報転送の要求を受信する場合、付加情報に相応する識別子を用いて前記付加情報をメモリから引き出して前記視聴者が入力したＥメールアドレスを用いてＥメールサーバーに転送する。しかし、図１に示された放送システムにおいて、制御部は、前記視聴者から付加情報転送の要求を受信する場合、前記付加情報転送の要求を放送局のコンテンツサーバーに転送する。次いで、前記コンテンツサーバーによって識別子をもとにしてデータベースから付加情報を引き出して前記要求に含まれているＥメールアドレスに前記付加情報を転送する。即ち、図１に示された放送システムは、付加情報を放送局のデータベースから探し出してＥメールアドレスに転送し、これに対して、本発明の他の実施例に係る放送システムは、前記付加情報を放送局を経由することなく直接Ｅメールアドレスに転送することができる。
【００５３】
図５-ａおよび図５-ｂは、本発明の好適な他の実施例に係るデジタル放送システムにおいて、視聴者が要求した付加情報を直接Ｅメールアドレスに転送する方法を説明するフローチャートである。
【００５４】
同図に示されたように、放送局からデータ情報を受信する（ステップ５０１）。前記ステップ５０１は、図２-ａのステップ４０１と同様である。但し、前記データ情報は、オーディオ情報、ビデオ情報、付加情報などを含み、行き先アドレスは必ず含まれる必要はない。ここで、前記行き先アドレスは、放送局のコンテンツサーバーのアドレスを意味する。しかし、本発明の好適な他の実施例に係る放送システムによれば、付加情報をＥメール転送する場合、前記付加情報を直接Ｅメールサーバーに転送しているため、別のコンテンツサーバーのアドレスが不要となり、前記行き先アドレスは、存在しなくても良い。
【００５５】
前記データ情報が受信部を介して受信される場合、前記データ情報は、データ処理部によって分離される（ステップ５０４）。前記ステップ５０４は、図２-ａのステップ４０４と同様である。即ち、前記データ処理部は、前記データ情報をオーディオ情報、ビデオ情報、付加情報に分離する。
【００５６】
前記ステップ５０４において分離された前記付加情報は、制御部によってメモリに格納される（ステップ５０７）。前記制御部は、前記データ処理部を監視している間、分離された前記データ情報内に付加情報が存在する場合、前記付加情報を前記メモリに送って格納することができる。
【００５７】
前記分離されたデータ情報のうちのビデオ情報およびオーディオ情報がデータ出力部を介して表示される（ステップ５１０）。ここで、前記データ出力部は、前述のようにスピーカと表示素子を含むことができる。前記ステップ５１０は、図２-ａのステップ４１０と同様であるため、詳細な説明は、省略する。
【００５８】
なお、前記制御部は、現在表示されているビデオ情報が前記受信部を介して受信される時、付加情報が添付されているか否かを判断する（ステップ５１３）。判断の結果、前記メモリに付加情報が存在する場合、前記制御部は、前記表示素子の画面に付加情報存在識別子を表示する（ステップ５１６）。前記制御部は、入力手段を介して視聴者が付加情報確認を要求するか否かを判断する（ステップ５１９）。ここで、前記ステップ５１３、５１６および５１９は、図２-ａのステップ４１３、４１６および４１９とそれぞれ同様であるため、具体的な説明は、図２-ａの説明を参照すれば良い。
【００５９】
判断の結果、前記視聴者が付加情報確認を要求する場合、前記制御部は、前記要求に応答して前記メモリに格納されているテレビブラウザーを実行させる（ステップ５２２）。前記テレビブラウザーにおいて前記データ処理部によってブラウザー画面が映像領域と付加情報領域とに割り当てられる場合、前記制御部は、現在表示されているビデオ情報に相応する付加情報をメモリから引き出して前記付加情報領域に出力する（ステップ５２５）。ここで、前記ステップ５２２、５２５は、図２-ｂのステップ４２２、４２５と同様であるため、詳細な説明は、省略する。
【００６０】
前記制御部は、視聴者から付加情報転送が要求されるかを判断する（ステップ５２８）。即ち、前記視聴者は、図３-ｃに示されたように、地理情報または観光情報が自分に必要なものであると判断してＥメールに格納しようとする場合、映像表示ユニットに付加情報転送を要求することができる。図３-ｅに示されたように、前記視聴者が転送経路設定項目を用いて前記付加情報の送り先のＥメールアドレスを入力した上で確認項目を選択することによって、前記付加情報転送の要求が実行されるようになる。前記視聴者が前記付加情報転送を要求する場合、前記制御部は、入力手段を持続的に監視しながら前記視聴者から付加情報転送の要求があるかを判断することができる。
【００６１】
判断の結果、前記視聴者から前記付加情報転送の要求を受信する場合、前記制御部は、付加情報を引き出す（ステップ５３１）。即ち、前記制御部は、前記付加情報転送の要求をもとにして前記視聴者が要求した付加情報の識別子を確認した後、前記識別子を用いてメモリから前記識別子に相応する付加情報を引き出すことができる。ここで、前記付加情報識別子は、前記制御部によって現在テレビブラウザーに出力されている付加情報が監視されている間、前記視聴者によって前記付加情報転送が要求される場合、現在テレビブラウザーに出力されている付加情報を視聴者が要求した付加情報として判別し得る。この時、前記制御部は、予め付加情報別に相応する付加情報識別子を記憶している必要がある。たとえば、前記視聴者が図３-ｅの画面において選択した付加情報が交通情報に関するものであり、前記交通情報の識別子が７である場合、前記制御部は、前記識別子７を用いて前記識別子７に相応するように格納された付加情報をメモリに引き出すことができる。
【００６２】
前記引き出された付加情報は、予め視聴者が入力したＥメールアドレスを用いてＥメールサーバーに転送される（ステップ５３４）。
【００６３】
従って、視聴者からの付加情報転送の要求を認識した映像表示ユニットが前記要求に相応する付加情報をメモリから引き出してＥメールアドレスに転送することで、放送局を経由することなく、何時でも視聴者が付加情報を希望する場合、当該付加情報をＥメールに格納することができる。
【産業上の利用可能性】
【００６４】
本発明のデジタル放送システムおよびその制御方法によれば、視聴者が付加情報を希望する場合、当該付加情報を何時でもＥメールアドレスに転送することによって付加情報の活用度を向上させることができる。
【００６５】
また、本発明のデジタル放送システムおよびその制御方法によれば、視聴者が希望する付加情報をテレビに格納しなくても良いため、テレビの格納容量の問題を解決し、別の格納装置が不要となるため、生産原価を節減することができる。
【００６６】
さらに、本発明のデジタル放送システムおよびその制御方法によれば、付加情報が放送局を経由することなく直接特定のＥメールアドレスに転送されるため、テレビからのダイレクトな付加情報の転送による画面内容の乱れが防止され、より快適な放送を楽しむことができる。
【図面の簡単な説明】
【００６７】
【図１】本発明の好適な一実施例に係るデジタル放送システムの構成図である。
【図２−ａ】本発明の好適な一実施例に係るデジタル放送システムにおいて、視聴者が要求した付加情報を放送局でＥメールアドレスに転送する方法を説明するためのフローチャートである。
【図２−ｂ】本発明の好適な一実施例に係るデジタル放送システムにおいて、視聴者が要求した付加情報を放送局でＥメールアドレスに転送する方法を説明するためのフローチャートである。
【図３−ａ】本発明の好適な一実施例に係るデジタル放送システムにおいて、付加情報を含むデータ情報が出力されることを示す画面例示図である。
【図３−ｂ】本発明の好適な一実施例に係るデジタル放送システムにおいて、付加情報を含むデータ情報が出力されることを示す画面例示図である。
【図３−ｃ】本発明の好適な一実施例に係るデジタル放送システムにおいて、付加情報を含むデータ情報が出力されることを示す画面例示図である。
【図３−ｄ】本発明の好適な一実施例に係るデジタル放送システムにおいて、付加情報を含むデータ情報が出力されることを示す画面例示図である。
【図３−ｅ】本発明の好適な一実施例に係るデジタル放送システムにおいて、付加情報を含むデータ情報が出力されることを示す画面例示図である。
【図４】図４は、本発明の好適な他の実施例に係るデジタル放送システムの構成図である。
【図５−ａ】本発明の好適な他の一実施例に係るデジタル放送システムにおいて、視聴者が要求した付加情報を直接Ｅメールアドレスに転送する方法を説明するためのフローチャートである。
【図５−ｂ】本発明の好適な他の一実施例に係るデジタル放送システムにおいて、視聴者が要求した付加情報を直接Ｅメールアドレスに転送する方法を説明するためのフローチャートである。
【符号の説明】
【００６８】
１００  映像表示ユニット、  １１０  受信部、  １２０  データ処理部、  １３０  制御部、  １４０  メモリ、  １５０  データ出力部、  １６０  入力手段、  １７０  入力インターフェース、  １８０  ネットワークインターフェース、  ２００  放送局、  ２１０  送信部、  ２２０  コンテンツサーバー、  ２３０  データベース、  ３００  Ｅメールサーバー、  ３２０  映像領域、  ３２２  付加情報存在表示領域、  ３２４  交通情報項目、  ３２６  観光情報項目、  ３２８  付加情報領域、  ３３０  交通情報内容、  ３３２  転送経路設定項目、  ３３４  確認項目。
【図１】
2004531131.tif 000003
【図２−ａ】
2004531131.tif 000004
【図２−ｂ】
2004531131.tif 000005
【図４】
2004531131.tif 000006
【図５−ａ】
2004531131.tif 000007
【図５−ｂ】
2004531131.tif 000008
【図３−ａ】
2004531131.tif 000009
【図３−ｂ】
2004531131.tif 000010
【図３−ｃ】
2004531131.tif 000011
【図３−ｄ】
2004531131.tif 000012
【図３−ｅ】
2004531131.tif 000013
【国際公開パンフレット】
2004531131.tif 000014
2004531131.tif 000015
2004531131.tif 000016
2004531131.tif 000017
2004531131.tif 000018
2004531131.tif 000019
2004531131.tif 000020
2004531131.tif 000021
2004531131.tif 000022
2004531131.tif 000023
2004531131.tif 000024
2004531131.tif 000025
2004531131.tif 000026
2004531131.tif 000027
2004531131.tif 000028
2004531131.tif 000029
2004531131.tif 000030
2004531131.tif 000031
2004531131.tif 000032
2004531131.tif 000033
2004531131.tif 000034
2004531131.tif 000035
2004531131.tif 000036
2004531131.tif 000037
2004531131.tif 000038
2004531131.tif 000039
2004531131.tif 000040
2004531131.tif 000041
2004531131.tif 000042
2004531131.tif 000043
2004531131.tif 000044
2004531131.tif 000045
2004531131.tif 000046
2004531131.tif 000047
2004531131.tif 000048
2004531131.tif 000049
2004531131.tif 000050
2004531131.tif 000051
2004531131.tif 000052
2004531131.tif 000053
2004531131.tif 000054
2004531131.tif 000055
2004531131.tif 000056
2004531131.tif 000057
2004531131.tif 000058
2004531131.tif 000059
2004531131.tif 000060
2004531131.tif 000061
2004531131.tif 000062
2004531131.tif 000063
【国際調査報告】
2004531131.tif 000064
2004531131.tif 000065